(57)【要約】【課題】保留されたエドモンソン券などの小型の券を係員が取り除くことを容易にした券処理装置を提供する。【解決手段】券を搬送するための左右に分かれ、かつ左右のそれぞれで対をなした搬送ベルトで形成する部分搬送路を連結して形成する搬送路１４と、搬送路上の回動可能なストッパ２３，２４，２５，２９，３１により搬送路１４を搬送してきた券を保留する保留部２７，２８，３０，３２と、保留部２７，２８，３０，３２に保留された券を取り出すための扉を備えた券処理装置１０において、扉を開いたときに、保留部２７，２８，３０，３２に保留された券が搬送路の面に対して平行に回転するようにする保留券回転機構３３，３４，３５，３６を設けた。【選択図】　図１
2004070508.tif 000002
【特許請求の範囲】
【請求項１】
券を搬送するための左右に分かれ、かつ左右のそれぞれで対をなした搬送ベルトで形成する部分搬送路を連結して設けられた搬送路と、前記部分搬送路上の回動可能なストッパにより前記搬送路を搬送してきた券を保留する保留部と、前記保留部に保留された券を取り出すための扉を備えた券処理装置において、
前記扉を開いたときに、前記保留部に保留された券が前記搬送路の面に対して平行に回転するようにする保留券回転機構を設けたことを特徴とする券処理装置。
【請求項２】
前記保留券回転機構は、前記保留部の前記ベルトの進行方向側の前記２本のベルトの間に上下動可能な爪と、前記保留部の前記扉側の前記ベルトを押さえることが可能なローラとを備え、
前記爪と前記ローラは電磁ソレノイドに連結され、
前記扉が開いたときに、前記電磁ソレノイドが作動して、前記爪が前記搬送する面より突出し、前記ローラが前記扉側の前記ベルトを押さえ、前記券を回転させることを特徴とする請求項１記載の券処理装置。
【発明の詳細な説明】
【０００１】
【発明の属する技術分野】
本発明は、券処理装置に係り、特に、自動精算機等に用いられる券処理装置に関するものである。
【０００２】
【従来の技術】
従来、自動精算機は、乗車券や定期券等を処理するための券処理装置と、硬貨および紙幣からなる現金を処理する現金処理装置と、自動改札口を通過するための精算券を発行する発券装置と、必要金額を計算する計算機と券処理装置と現金処理装置と発券装置を制御する制御装置を備えている。
【０００３】
図８と図９は、従来の自動精算機内の券処理装置の配置と、構成図である。券処理装置１００は、自動精算機１０１内に備えられ、券処理装置１００には、自動精算機１０１の接客面１０２に券投入返却口１０３が設けられている。券処理装置１００は、券投入返却口１０３から左右に分かれた２本のベルトでそれぞれ対をなした２つの搬送ベルト（例えば１０４ａ，１０４ｂ）で形成する部分搬送路を連結して設けられた搬送路１０４を備えている。また、搬送路１０４には、磁気ヘッドを備えたエンコード部１０５と印字部１０６とカードパンチ部１０７が設けられている。また、搬送路１０４は、分岐点１０８で分岐し、第１搬送路（部分搬送路）１０９が設けられ、また、分岐点１１０で分岐し第２搬送路（部分搬送路）１１１、第３搬送路（部分搬送路）１１２が形成されている。搬送ベルトは左右に分かれた幅の狭い２本のベルトでそれぞれ対をなし、媒体の両端を２つの搬送ベルトで挟んだ状態で搬送するようにしている。図中、説明の便宜上、搬送路のみを線図で示し、搬送ベルトの図示を省略している。
【０００４】
第１搬送路１０９には、３つの回動可能なストッパ１１３，１１４，１１５が設けられ、それらのストッパ１１３，１１４が下がり、１１５が上がることにより、券の搬送が保留される保留部１１６，１１７が形成される。また、第２搬送路１１１と第３搬送路１１２にも回動可能なストッパ１１８，１１９が設けられており、そのストッパ１１８，１１９が下がることにより、券は保留される保留部１２０，１２１が形成される。
【０００５】
図１０は、第１搬送路１０９の保留部を拡大した図である。第１搬送路１０９では、搬送ベルト１２２は一方向に移動し、また、回動可能なストッパ１１３，１１４，１１５は、直列に取りつけられている。ストッパ１１３，１１４，１１５がＡの位置にあるときは、搬送されてきた券は、ストッパ１１３，１１４により止められ、保留部１１６，１１７に保留される。利用客が金額を投入し、取引が終了したときは、ストッパ１１３，１１４は、Ｂの位置に上がり、券は搬送され、回収される。この保留部１１６，１１７は、２つの券を保留することができる。ここで、簡単のため搬送ベルト１２２と共に保留媒体を挟むもう一方の搬送ベルトは省略してある。以下同様である。
【０００６】
図１１は　、第２搬送路１１１の保留部１２０と第３搬送路１１２の保留部１２１の拡大図である。第２搬送路１１１と第３搬送路１１２では、搬送ベルト１２３，１２４は２方向に移動し、また、回動可能なストッパ１１８，１１９は、並列に取りつけられている。ストッパ１１８，１１９がＣの位置にあるときは、搬送されてきた券は、ストッパ１１８，１１９により止められ、保留部１２０，１２１に保留される。利用客が金額を投入し、取引が終了したときは、ストッパ１１８，１１９は、Ｄの位置に上がり、券は搬送され、回収される。この保留部１２０，１２１は、２つの券が保留することができる。
【０００７】
このような構造の自動精算機は、次のようにして用いられる。下車しようとする駅までの金額より少ない金額の乗車券を購入して乗車した利用客あるいは、下車駅の途中までの定期券しか持たない利用客は、下車する駅の自動改札口付近に設置してある自動券売機を利用する。そのとき、まず、利用客は、乗車駅で購入した乗車券あるいは定期券を自動精算機の乗車券挿入口に挿入する。挿入された乗車券あるいは定期券は、左右に分かれた２本のベルトがそれぞれ対をなした２つの搬送ベルトに挟まれ、内部に搬送される。そのときに、券処理装置の磁気読取部により、乗車券あるいは定期券の磁気記録面に記録されている磁気情報が読み取られ、その情報が制御装置に送られ、必要金額が計算される。この必要金額は、自動精算機の前面の表示部に表示される。
【０００８】
そのとき、乗車券あるいは、定期券は、搬送ベルトにより搬送路を搬送され、必要金額が利用客により金銭投入口から投入されるまで、保留部に保留される。利用客が料金を投入すると、取引が終了し、ストッパがＢ，Ｄの位置に上がり、保留部に保留されていた券が回収され、また、定期券は、投入口から出てくる。それとともに、精算券が出て、取引が終了する。利用客は、その精算券を自動改札口に投入し、改札を出ることができる。
【０００９】
【発明が解決しようとする課題】
しかしながら、自動精算機においては、何らかの具合で、ストッパなどが上がらず、保留部に券が留まってしまうことがあり、係員が保留部の券を取り除く必要があるときが生ずる。そのとき、保留されたエドモンソン券は、２つの搬送ベルトにちょうど挟まれる状態で保留されているため、係員がその券を取り除くときの作業性が悪いという問題点があった。図１２は、例として保留部１１６にエドモンソン券が保留された状態の平面図を示す。エドモンソン券は、２つの搬送ベルト１２２とそれに対向する搬送ベルトに挟まり、ストッパ１１３により留められている。このように、定期券や大型券などと兼用の保留部１２４を形成しており、エドモンソン券１２５は、扉１２６から奥のほうにあるため、なおさら、取り出しにくいというようになり、さらに、最近の多機能化などにより保留部付近のスペース確保も難しくなり、作業性はさらに悪くなる傾向にある。
【００１０】
本発明の目的は、上記問題点を解決するためになされたもので、保留されたエドモンソン券などの小型の券を係員が取り除くことを容易にした券処理装置を提供することにある。
【００１１】
【課題を解決するための手段および作用】
本発明に係る券処理装置は、上記の目的を達成するため、次のように構成される。
【００１２】
第１の券処理装置（請求項１に対応）は、券を搬送するための左右に分かれ、かつ左右のそれぞれで対をなした搬送ベルトで形成する部分搬送路を連結して設けられた搬送路と、部分搬送路上の回動可能なストッパにより搬送路を搬送してきた券を保留する保留部と、保留部に保留された券を取り出すための扉を備えた券処理装置において、扉を開いたときに、保留部に保留された券が搬送路の面に対して平行に回転するようにする保留券回転機構を設けたことで特徴づけられる。
【００１３】
第１の券処理装置によれば、券を搬送するための左右に分かれ、かつ左右のそれぞれで対をなした搬送ベルトで形成する部分搬送路を連結して設けられた搬送路と、部分搬送路上の回動可能なストッパにより搬送路を搬送してきた券を保留する保留部と、保留部に保留された券を取り出すための扉を備えた券処理装置において、扉を開いたときに、保留部に保留された券が搬送路の面に対して平行に回転するようにする保留券回転機構を設けたため、係員が扉を開いたときに、保留部の券が回転して、扉側に出てくるので、係員は容易に券をつかむことができ、取り除くことができる。
【００１４】
第２の券処理装置（請求項２に対応）は、上記の構成において、好ましくは保留券回転機構は、保留部のベルトの進行方向側の２本のベルトの間に上下動可能な爪と、保留部の扉側のベルトを押さえることが可能なローラとを備え、爪とローラは電磁ソレノイドに連結され、扉が開いたときに、電磁ソレノイドが作動して、爪が搬送する面より突出し、ローラが扉側のベルトを押さえ、券を回転させることで特徴づけられる。
【００１５】
第２の券処理装置によれば、保留券回転機構は、保留部のベルトの進行方向側の２本のベルトの間に上下動可能な爪と、保留部の扉側のベルトを押さえることが可能なローラとを備え、爪とローラは電磁ソレノイドに連結され、扉が開いたときに、電磁ソレノイドが作動して、爪が搬送する面より突出し、ローラが扉側のベルトを押さえ、券を回転させるため、係員が扉を開いて搬送ベルトの回転用つまみを回すことにより券がよりとびだしてくるので係員は、さらに券を取りやすくなる。
【００１６】
【発明の実施の形態】
以下に、本発明の好適な実施形態を添付図面に基づいて説明する。
【００１７】
図１は、本発明の実施形態に係る券処理装置の内部構成図である。券処理装置１０は、従来と同様、図８で示した自動精算機１０１内に備えられ、券処理装置１０には、自動精算機１０１の接客面１０２に券投入返却口１０３が設けられている。券処理装置１０は、券投入返却口１０３から左右に分かれ、かつ左右のそれぞれで対をなした搬送ベルトで形成する部分搬送路を連結して設けられた搬送路１４を備えている。また、搬送路１４には、磁気ヘッドを備えたエンコード部１５と印字部１６とカードパンチ部１７が設けられている。また、搬送路１４は、分岐点１８で分岐し、第１搬送路（部分搬送路）１９が設けられ、また、分岐点２０で分岐し第２搬送路（部分搬送路）２１、第３搬送路（部分搬送路）２２が形成されている。搬送ベルトは左右に分かれた幅の狭い２本のベルトでそれぞれ対をなし、媒体の両端を２つの搬送ベルトで挟んだ状態で搬送するようにしている。図中、説明の便宜上、搬送路を形成する搬送ベルトの一部を示し、残りの部分は省略している。
【００１８】
第１搬送路１９には、３つの回動可能なストッパ２３，２４，２５が設けられ、ストッパ２４，２５が下がり、ストッパ２３が上がることにより、券の搬送が保留される保留部２７，２８が形成される。また、第２搬送路２１にも回動可能なストッパ２９が設けられており、そのストッパ２９が下がることにより、券は保留される保留部３０が形成される。さらに、第３搬送路２２にも回動可能なストッパ３１が設けられており、そのストッパ３１が下がることにより、券が保留される保留部３２が形成される。また、保留部２７，２８，３０，３２には、図示しない扉を開いたときに、保留部２７，２８，３０，３２に保留された券が搬送路１９，２１，２２の面に対して平行に回転するようにする保留券回転機構３３，３４，３５，３６が設けられている。
【００１９】
図２は、第１搬送路１９の保留部２７，２８を拡大した図である。第１搬送路１９では、搬送ベルト３７は一方向に移動し、また、回動可能なストッパ２３，２４，２５は、直列に取りつけられている。ストッパ２４，２５がＡの位置にあるときは、搬送されてきた券は、ストッパ２４，２５により止められ、保留部２７，２８に保留される。利用客が金額を投入などされ、取引が終了したときは、ストッパ２４，２５は、Ｂの位置に上がり、券は搬送され、回収される。この保留部２７，２８は、２つの券が保留することができる。保留部２７，２８には、扉を開いたときに、保留部に保留された券が搬送路１９の面に対して平行に回転するようにする保留券回転機構３３，３４が設けられている。ここで、簡単のために、搬送ベルト３７と共に保留媒体を挟むもう一方の搬送ベルトは省略してある。以下同様である。
【００２０】
図３は　、第２搬送路２１の保留部３０と第３搬送路２２の保留部３２を拡大した図である。第２搬送路２１では、搬送ベルトは２方向に移動し、また、回動可能なストッパ２９，３１は、並列に取りつけられている。ストッパ２９，３１がＣの位置にあるときは、搬送されてきた券は、ストッパにより止められ、保留部３０，３２に保留される。利用客が金額を投入などされ、取引が終了したときは、ストッパ２９，３１は、Ｄの位置に上がり、券は搬送され、回収される。この保留部３０，３２は、２つの券が保留することができる。保留部３０，３２には、扉を開いたときに、保留部３０，３２に保留された券が搬送路の面に対して平行に回転するようにする保留券回転機構３５，３６が設けられている。
【００２１】
図４と図５は、保留券回転機構を説明するための保留部の平面図と側面図である。保留券回転機構３４は、保留部２８のベルトの進行方向側の２本のベルトの間に上下動可能な爪３７と、保留部２８の扉３８側のベルト３９ａを押さえることが可能なローラ４０とを備えている。また、爪３７とローラ４０は、電磁ソレノイド４１に連結されている。電磁ソレノイド４１の図示しない作動スイッチは扉３８の開閉によりオンオフする。扉３８が閉じているときは、電磁ソレノイド４１はオフ状態であり、下降しており、券４２が搬送可能なように券４２の搬送する面より、突出していない。扉３８が開いたとき、電磁ソレノイド４１がオンとなり、バー４３が上昇し、爪３７が搬送する面より突出し、ローラ４０も上昇し、ベルト３９を押さえる機構となっている。
【００２２】
次に、図６により、保留券回転機構３４の動作を説明する。まず、扉３８がとじているときは、図６（ａ）で示すように、電磁ソレノイド４１の作動スイッチはオフであり、可動軸４３は下降しており、爪３７は、券の搬送する面より突出していない。また、ローラ４０は、ベルト３９ａに接触していない。扉３８を開くと、電磁ソレノイド４１の作動スイッチはオンとなり、バー４３が上昇し、図６（ｂ）に示すように、爪３７が券の搬送する面より上方に突出する。また、そのとき、ローラ４０が扉側のベルト３９ａを押さえる。それにより、搬送ベルト回転用のつまみを回したときに扉を開いたときに扉側の搬送ベルト３９ａとそれに対向する搬送ベルトに挟まれた保留券の摩擦力が扉３８とは反対側の搬送ベルト３９ｂとそれに対向する搬送ベルトに挟まれた保留券の摩擦力より大きくなり、扉３８側の搬送ベルト３９ａとそれに対向する搬送ベルトによる搬送力が扉３８とは反対側の搬送ベルト３９ｂとそれに対向する搬送ベルトによる搬送力より大きくなり、図７で示すように爪３７を支点として、ベルトが移動するに従って券４２が回転する。また、保留券回転機構３３，３５，３６も保留券回転機構３４と同様であるので、説明を省略する。
【００２３】
このように、自動精算機において、何らかの具合で、ストッパなどがあがらず、保留部に券がとどまってしまい、係員が保留部の券を取り除く必要があるとき、保留されたエドモンソン券も、係員がその券を容易に取り除くことができる。また、定期券や大型券などと兼用の保留部を形成するものにおいても、エドモンソン券が、扉から奥のほうにあるにもかかわらず、容易に取り出すことができる。さらに、最近の多機能化などにより保留部付近のスペース確保がされていなくても、作業性を改善することができる。
【００２４】
【発明の効果】
以上の説明で明らかなように本発明によれば、次の効果を奏する。
【００２５】
この券処理装置は、扉を開いたときに、保留部に保留された券が搬送路の面に対して平行に回転するようにするための保留券回転機構を設けたため、係員が扉を開いたときに、保留部の券が回転して、扉側に出てくるので、係員は容易に券をつかむことができ、取り除くことができる。
【００２６】
また、保留券回転機構は、保留部のベルトの進行方向側の２本のベルトの間に上下動可能な爪と、保留部の扉側のベルトを押さえることが可能なローラとを備え、爪とローラは電磁ソレノイドに連結され、扉が開いたときに、電磁ソレノイドが作動して、爪が搬送する面より突出し、ローラが扉側のベルトを押さえ、券を回転させるため、係員が扉を開いて搬送ベルトの回転用つまみを回すことにより券がよりとびだしてくるので係員は、さらに券を取りやすくなる。
【図面の簡単な説明】
【図１】本発明の実施形態に係る券処理装置の内部構成図である。
【図２】第１搬送路の保留部を拡大した図である。
【図３】第２および第３搬送路の保留部を拡大した図である。
【図４】保留券回転機構を説明するための保留部の平面図である。
【図５】保留券回転機構を説明するための保留部の側面図である。
【図６】保留券回転機構の動作を説明する図であり、（ａ）は、扉を閉じているときの状態であり、（ｂ）は、扉を開いたときの状態である。
【図７】保留券回転機構の動作を説明する平面図である。
【図８】従来の自動精算機内の券処理装置の配置図である。
【図９】従来の自動精算機内の券処理装置の内部構成図である。
【図１０】第１搬送路の保留部を拡大した図である。
【図１１】第２および第３搬送路の保留部の拡大図である。
【図１２】保留部の平面図である。
【符号の説明】
１０　　　　　券処理装置
１１　　　　　自動精算機
１２　　　　　接客面
１３　　　　　券投入返却口
１４　　　　　搬送路
１５，１６，１７　ローラ
１８　　　　　分岐点
１９　　　　　第１搬送路
２０　　　　　分岐点
２１　　　　　第２搬送路
２２　　　　　第３搬送路
２３，２４，２５　ストッパ
２７，２８　　保留部
２９　　　　　ストッパ
３０　　　　　保留部
３１　　　　　ストッパ
３２　　　　　保留部
３３，３４，３５，３６　保留券回転機構
３７　　　　　爪
３８　　　　　扉
３９ａ　　　　扉側のベルト
３９ｂ　　　　扉とは反対側のベルト
４０　　　　　ローラ
４１　　　　　電磁ソレノイド
【図１】
2004070508.tif 000003
【図２】
2004070508.tif 000004
【図３】
2004070508.tif 000005
【図４】
2004070508.tif 000006
【図５】
2004070508.tif 000007
【図６】
2004070508.tif 000008
【図７】
2004070508.tif 000009
【図８】
2004070508.tif 000010
【図９】
2004070508.tif 000011
【図１０】
2004070508.tif 000012
【図１１】
2004070508.tif 000013
【図１２】
2004070508.tif 000014